(57)【要約】【課題】異形棒鋼からなる縦筋に装着した際に上下に移動してしまうことを防止した天端レベル管理具の提供。【解決手段】軸線方向に所定のピッチで複数の凸状の節が形成された異形棒鋼からなる縦筋に装着される天端レベル管理具であって、上下方向からみて略Ｃ字状に形成され、縦筋に取り付けられる縦筋取付部１１であり、複数の凸状の節がそれぞれ嵌入する複数の間隙からなる節嵌入部２０が節のピッチに応じたピッチで形成された縦筋取付部１１と、天端レベルの目印となるレベル設定用棒材の上下位置を調整して保持可能な保持部１０とを有する。【選択図】図５
2017043991.tif 000002
【特許請求の範囲】
【請求項１】
軸線方向に所定のピッチで複数の凸状の節が形成された異形棒鋼からなる縦筋に装着される天端レベル管理具であって、
上下方向からみて略Ｃ字状に形成され、前記縦筋に取り付けられる縦筋取付部であり、前記複数の凸状の節がそれぞれ嵌入する複数の間隙からなる節嵌入部が前記節のピッチに応じたピッチで形成された縦筋取付部と、
天端レベルの目印となるレベル設定用棒材の上下位置を調整して保持可能な保持部とを有する天端レベル管理具。
【請求項２】
前記縦筋取付部の上下のいずれか一方または両方に、前記縦筋取付部の略Ｃ字状の開口を挟む左右両側からそれぞれ外側に延び、その先端部から前記縦筋取付部の略Ｃ字状の開口に向かって延びる左右一対のアームからなる脱落防止部であり、前記左右一対のアーム間に前記縦筋が外側から挿入される際には弾性変形して前記左右一対のアームの間隔が拡がり、前記左右一対のアーム間を前記縦筋が通過した際に前記縦筋取付部の略Ｃ字状の開口に向かう前記左右一対のアームの先端が前記縦筋に対峙する位置に弾性復帰する脱落防止部を有する請求項１記載の天端レベル管理具。
【請求項３】
前記レベル設定用棒材を含み、
前記レベル設定用棒材は、下部に螺旋状の溝部が形成されたものであり、
前記保持部は、上下方向のスリットを有して上下方向からみて略Ｃ字状に形成されたものであり、その内側に前記レベル設定用棒材の溝部に嵌入する突起部を有するものである
請求項１から３のいずれか１項に記載の天端レベル管理具。
【発明の詳細な説明】
【技術分野】
【０００１】
本発明は、建築物のコンクリート基礎の天端レベルの設定に用いられる天端レベル管理具に関する。
【背景技術】
【０００２】
従来、コンクリート基礎の現場打ち工法においては、まず、型枠内に異形棒鋼を用いて配筋し、コンクリートを打設した後、さらにその天端面にレベラーを流し込んで、基礎コンクリート全体の天端を均一な面にすることが行われている。このレベラーを流し込むときの上面の目印として、天端レベル管理具が用いられる。
【０００３】
例えば、特許文献１には、調整軸部材の下端側外壁に固定されて鉄筋に着脱自在に取り付けられる鉄筋取付部材を備えた天端出し治具が記載されている。図１６は特許文献１に記載の天端出し治具を示す正面図、図１７は図１６の天端出し治具の鉄筋取付部材を示す一部破断正面図、図１８は同鉄筋取付部材を示す平面図である。
【０００４】
図１６〜図１８に示すように、この天端出し治具１１０の鉄筋取付部材１１８は、調整軸部材１１１に着脱可能に取り付けられる円筒状の第１取付部１１９と、鉄筋に着脱可能に取り付けられる略円筒状の第２取付部１２３とが軸方向を揃えてかつ隣接して一体で形成されている。また、第２取付部１２３は、軸方向下端近傍位置にて、内周面からわずかに突出したリング状の係止部１２６を設けており、鉄筋に装着されたときに鉄筋の突起に係止されて、軸方向に移動しないように確実に鉄筋に固定されるようになっている。
【先行技術文献】
【特許文献】
【０００５】
【特許文献１】特開２００７−１４６６２２号公報
【発明の概要】
【発明が解決しようとする課題】
【０００６】
ところで、コンクリート基礎の配筋に用いられる鉄筋は、軸線方向に所定のピッチで複数の凸状の節が形成された異形棒鋼である。上記従来の天端出し治具１１０の鉄筋取付部材１１８は、第２取付部１２３の軸方向下端近傍位置にて内周面からわずかに突出したリング状の係止部１２６が、この異形棒鋼の凸状の節（突部）に係止されることにより、軸方向に移動しないように固定されるというものであるが、このリング状の係止部１２６は節と節との間で上下に移動してしまう可能性がある。
【０００７】
そこで、本発明においては、異形棒鋼からなる縦筋に装着した際に上下に移動してしまうことを防止した天端レベル管理具を提供することを目的とする。
【課題を解決するための手段】
【０００８】
本発明の天端レベル管理具は、軸線方向に所定のピッチで複数の凸状の節が形成された異形棒鋼からなる縦筋に装着される天端レベル管理具であって、上下方向からみて略Ｃ字状に形成され、縦筋に取り付けられる縦筋取付部であり、複数の凸状の節がそれぞれ嵌入する複数の間隙からなる節嵌入部が節のピッチに応じたピッチで形成された縦筋取付部と、天端レベルの目印となるレベル設定用棒材の上下位置を調整して保持可能な保持部とを有するものである。
【０００９】
本発明の天端レベル管理具を縦筋に装着すると、縦筋取付部に形成された複数の間隙からなる節嵌入部に、異形棒鋼からなる縦筋の複数の凸状の節がそれぞれ嵌入して位置決めされるので、縦筋取付部がその位置で縦筋に固定され、上下に移動してしまうことが防止される。
【００１０】
ここで、縦筋取付部の上下のいずれか一方または両方に、縦筋取付部の略Ｃ字状の開口を挟む左右両側からそれぞれ外側に延び、その先端部から縦筋取付部の略Ｃ字状の開口に向かって延びる左右一対のアームからなる脱落防止部であり、左右一対のアーム間に縦筋が外側から挿入される際には弾性変形して左右一対のアームの間隔が拡がり、左右一対のアーム間を縦筋が通過した際に縦筋取付部の略Ｃ字状の開口に向かう左右一対のアームの先端が縦筋に対峙する位置に弾性復帰する脱落防止部を有することが望ましい。これにより、本発明の天端レベル管理具を縦筋に装着すると、縦筋取付部の略Ｃ字状の開口に向かう脱落防止部の左右一対のアームの先端が縦筋に対峙する位置にあるので、縦筋は縦筋取付部から脱落することが防止される。
【００１１】
また、レベル設定用棒材は、下部に螺旋状の溝部が形成されたものであり、保持部は、上下方向のスリットを有して上下方向からみて略Ｃ字状に形成されたものであり、その内側にレベル設定用棒材の溝部に嵌入する突起部を有するものであることが望ましい。これにより、保持部内でレベル設定用棒材を回転させると、レベル設定用棒材の下部の螺旋状の溝部に保持部の内側の突起部が嵌入するため、レベル設定用棒材が上下に移動する。また、保持部が上下方向のスリットを有する略Ｃ字状に形成されたものであるため、レベル設定用棒材を回転させる際に略Ｃ字状が適宜拡縮し、レベル設定用棒材をスムーズに回転させることが可能となる。
【発明の効果】
【００１２】
（１）上下方向からみて略Ｃ字状に形成され、縦筋に取り付けられる縦筋取付部であり、複数の凸状の節がそれぞれ嵌入する複数の間隙からなる節嵌入部が節のピッチに応じたピッチで形成された縦筋取付部と、天端レベルの目印となるレベル設定用棒材の上下位置を調整して保持可能な保持部とを有する天端レベル管理具によれば、異形棒鋼からなる縦筋に装着した際に上下に移動してしまうことが防止されるので、天端レベルを精度良く管理することが可能となる。
【００１３】
（２）縦筋取付部の上下のいずれか一方または両方に、縦筋取付部の略Ｃ字状の開口を挟む左右両側からそれぞれ外側に延び、その先端部から縦筋取付部の略Ｃ字状の開口に向かって延びる左右一対のアームからなる脱落防止部であり、左右一対のアーム間に縦筋が外側から挿入される際には弾性変形して左右一対のアームの間隔が拡がり、左右一対のアーム間を縦筋が通過した際に縦筋取付部の略Ｃ字状の開口に向かう左右一対のアームの先端が縦筋に対峙する位置に弾性復帰する脱落防止部を有することにより、本発明の天端レベル管理具を縦筋に装着すると、縦筋は脱落防止部により縦筋取付部から脱落することが防止される。
【００１４】
（３）レベル設定用棒材は、下部に螺旋状の溝部が形成されたものであり、保持部は、上下方向のスリットを有して上下方向からみて略Ｃ字状に形成されたものであり、その内側にレベル設定用棒材の溝部に嵌入する突起部を有するものであることにより、レベル設定用棒材を回転させて容易に上下に移動させることができるので、天端レベルの目印を容易に微調整することが可能となる。
【図面の簡単な説明】
【００１５】
【図１】本発明の実施の形態における天端レベル管理具の使用状態を示す斜視図である。
【図２】図１の背面側からみた斜視図である。
【図３】図１の天端レベル管理具を配筋に取り付ける様子を示す斜視図である。
【図４】図１の天端レベル管理具本体の斜視図である。
【図５】図４の背面側からみた斜視図である。
【図６】図１の天端レベル管理具本体の平面図である。
【図７】図１の天端レベル管理具本体の正面図である。
【図８】図１の天端レベル管理具本体の底面図である。
【図９】図１の天端レベル管理具本体の左側面図である。
【図１０】図１の天端レベル管理具本体の右側面図である。
【図１１】図６のＸＩ−ＸＩ線断面図である。
【図１２】本発明の天端レベル管理具本体の別の実施形態を示す左側面図である。
【図１３】本発明の天端レベル管理具本体の別の実施形態を示す左側面図である。
【図１４】本発明の天端レベル管理具本体の別の実施形態を示す平面図である。
【図１５】本発明の天端レベル管理具本体の別の実施形態を示す平面図である。
【図１６】従来の天端出し治具を示す正面図である。
【図１７】図１６の天端出し治具の鉄筋取付部材を示す一部破断正面図である。
【図１８】図１６の天端出し治具の鉄筋取付部材を示す平面図である。
【発明を実施するための形態】
【００１６】
図１は本発明の実施の形態における天端レベル管理具の使用状態を示す斜視図、図２は図１の背面側からみた斜視図、図３は図１の天端レベル管理具を配筋に取り付ける様子を示す斜視図、図４は図１の天端レベル管理具本体の斜視図、図５は図４の背面側からみた斜視図、図６は図１の天端レベル管理具本体の平面図、図７は正面図、図８は底面図、図９は左側面図、図１０は右側面図、図１１は図６のＸＩ−ＸＩ線断面図である。
【００１７】
図１および図２に示すように、本発明の実施の形態における天端レベル管理具１は、表面に凹凸の突起を有する異形棒鋼を用いて型枠内に配筋し、コンクリートを打設した後、さらにその天端面にレベラーを流し込んで基礎天端を形成するときの天端レベルを設定する治工具である。天端レベル管理具１は、延在方向（軸線方向）Ｘ１を垂直方向とする縦筋Ｒ１および延在方向（軸線方向）Ｘ２を水平方向とする横筋Ｒ２からなる配筋のうち、縦筋Ｒ１に取り付けられる天端レベル管理具本体２と、天端レベル管理具本体２に保持されて天端レベルの目印とするレベル設定用棒材３とからなる。縦筋Ｒ１および横筋Ｒ２は、軸線方向に所定のピッチで複数の凸状の節Ｇ１が形成された異形棒鋼である。
【００１８】
天端レベル管理具本体２およびレベル設定用棒材３は、硬質樹脂で形成されている。硬質樹脂としては、例えばＰＰ（ポリプロピレン）、ＰＯＭ（ポリアセタール）、ＡＢＳ樹脂、ＰＣ（ポリカーボネート）やＰＡ６（ポリアミド）等の工業用プラスチック樹脂を用いることができる。また、摺動性が良い複数種類の硬質樹脂を組み合わせて使用することも可能である。
【００１９】
レベル設定用棒材３は、丸棒状に形成され、上端３０を、レベラーを流し込んで基礎天端を形成するときの天端レベルの目印としている。また、レベル設定用棒材３の上端から予定距離、例えば１０ｍｍだけ下がった位置には、レベル設定用棒材３から両側に拡がる鱗状の拡径部３１が設けられている。拡径部３１の上面は、レベラーを流す前に打設するコンクリートの上端レベルの目印となっている。
【００２０】
レベル設定用棒材３の下部には、螺旋状の溝部３２が形成されている。溝部３２の内径は、レベル設定用棒材３の上部の外径と同じに形成され、強度の低下が防止されている。また、溝部３２の断面形状は、矩形波状に形成され、衝撃が加わったときや、摺動による破損を防止している。溝部３２の溝は１条で、ピッチは例えば３．０〜３．５ｍｍに形成されている。
【００２１】
図４〜図１１に示すように、天端レベル管理具本体２は、レベル設定用棒材３の上下位置を調整して保持可能な保持部１０と、縦筋Ｒ１に取り付けられる縦筋取付部１１と、縦筋取付部１１から縦筋Ｒ１が脱落するのを防止する脱落防止部１２とを備える。
【００２２】
保持部１０は、上下方向に延びる略円筒状であって上下方向のスリット１０ａを有し、上下方向からみて略Ｃ字状に形成されたものである。保持部１０の内径は、レベル設定用棒材３の溝部３２が形成された下部外周に当接して保持可能な程度の大きさに設定されている。また、保持部１０の内側の上端部には、レベル設定用棒材３の溝部３２に嵌入する突起部１０ｂを有する。レベル設定用棒材３は、この突起部１０ｂが溝部３２に嵌入することによって、ねじのように回転させることができ、１回転につき上下に３．０〜３．５ｍｍ移動する。
【００２３】
縦筋取付部１１は、上下方向に延びる略円筒状であって上下方向の開口１１ａを有し、上下方向からみて略Ｃ字状に形成されたものである。縦筋取付部１１の内径は、縦筋Ｒ１の外径に対応する大きさであり、縦筋Ｒ１の凸状の節Ｇ１まで含めた外径よりも若干小さく、形成されている。また、縦筋取付部１１には、縦筋Ｒ１の複数の凸状の節Ｇ１がそれぞれ嵌入する複数の間隙からなる節嵌入部２０が節Ｇ１のピッチに応じたピッチで形成されている。
【００２４】
縦筋取付部１１の開口１１ａが縦筋Ｒ１に横方向から押し当てられると、縦筋取付部１１が弾性変形して開口１１ａが拡がり、縦筋Ｒ１が開口１１ａを通過する。その後、縦筋取付部１１が弾性復元することにより、縦筋Ｒ１が縦筋取付部１１に嵌合する。このとき、縦筋Ｒ１の複数の凸状の節Ｇ１は、節嵌入部２０にそれぞれ嵌入して位置決めされ、縦筋取付部１１はその位置に縦筋Ｒ１に固定される。
【００２５】
脱落防止部１２は、縦筋取付部１１の上側に設けられている。脱落防止部１２は、縦筋取付部１１の略Ｃ字状の開口１１ａを挟む左右両側からそれぞれ外側に延びる第１アーム２２と、第１アーム２２の先端部で折り返して縦筋取付部１１の略Ｃ字状の開口に向かって延びる第２アーム２３とからそれぞれ構成される左右一対のアーム２１からなる。アーム２１の先端、すなわち第２アーム２３の先端２４は、縦筋取付部１１に取り付けられた縦筋Ｒ１に対峙する位置に設けられている。
【００２６】
この左右一対のアーム２１は、左右一対のアーム２１間に縦筋Ｒ１が外側から挿入される際には弾性変形、特に第２アーム２３の部分が弾性変形して左右一対のアーム２１の間隔が拡がり、左右一対のアーム２１間を縦筋Ｒ１が通過した際に、左右一対のアーム２１の先端２４が縦筋Ｒ１に対峙する位置に弾性復帰する。
【００２７】
上記構成の天端レベル管理具１では、天端レベル管理具本体２を図３に示すように縦筋Ｒ１に装着すると、縦筋取付部１１に形成された節嵌入部２０に、異形棒鋼からなる縦筋Ｒ１の複数の凸状の節Ｇ１がそれぞれ嵌入して位置決めされるので、縦筋取付部１１がその位置で縦筋Ｒ１に固定され、上下に移動してしまうことが防止されるので、天端レベルを精度良く管理することができる。
【００２８】
また、この天端レベル管理具１では、縦筋取付部１１の上側に脱落防止部１２を備えており、縦筋Ｒ１に装着すると、縦筋取付部１１の略Ｃ字状の開口１１ａに向かう脱落防止部１２の左右一対のアーム２１の先端２４が縦筋Ｒ１に対峙する位置にあるので、縦筋Ｒ１は縦筋取付部１１から脱落することが防止される。なお、本実施形態においては、脱落防止部１２と縦筋取付部１１との間に節嵌入部２０を設けているが、図１２に示すように、脱落防止部１２と縦筋取付部１１とを一体とすることも可能である。
【００２９】
また、本実施形態においては、脱落防止部１２を縦筋取付部１１の上側にのみ備えているが、図１３に示すように縦筋取付部１１の下側にも備えた構成とすることが可能である。あるいは、図示しないが、縦筋取付部１１の下側にのみ備えた構成とすることも可能である。
【００３０】
また、本実施形態においては、脱落防止部１２は、第１アーム２２および第２アーム２３が湾曲した形状であるが、図１４に示すように第１アーム２２ａおよび第２アーム２３ａを直線状としたり、図１５に示すように第１アーム２２ｂと第２アーム２３ｂとの接続部２５を曲線状としたりすることも可能である。なお、脱落防止部１２は省略することも可能である。
【産業上の利用可能性】
【００３１】
本発明の天端レベル管理具は、建築物のコンクリート基礎の天端レベルの設定に有用である。
【符号の説明】
【００３２】
１  天端レベル管理具
２  天端レベル管理具本体
３  レベル設定用棒材
１０  保持部
１０ａ  スリット
１０ｂ  突起部
１１  縦筋取付部
１２  脱落防止部
２０  節嵌入部
２１  アーム
２２  第１アーム
２３  第２アーム
３１  拡径部
３２  溝部
【図１】
2017043991.tif 000003
【図２】
2017043991.tif 000004
【図３】
2017043991.tif 000005
【図６】
2017043991.tif 000006
【図７】
2017043991.tif 000007
【図８】
2017043991.tif 000008
【図９】
2017043991.tif 000009
【図１０】
2017043991.tif 000010
【図１１】
2017043991.tif 000011
【図１２】
2017043991.tif 000012
【図１３】
2017043991.tif 000013
【図１４】
2017043991.tif 000014
【図１５】
2017043991.tif 000015
【図１６】
2017043991.tif 000016
【図１７】
2017043991.tif 000017
【図１８】
2017043991.tif 000018
【図４】
2017043991.tif 000019
【図５】
2017043991.tif 000020